(57)【要約】【課題】空中散布に適するとともに、悪臭を発生せず、製造も簡単なコンクリート廃棄物又は貝殻廃棄物を使用する酸性雨対策工法及び材料を提供する。【解決手段】酸性成分の中和や酸性に対する緩衝力の噌強を目的として、種子や化学肥料を混合しない。種子や化学肥料を混合すると、酸性雨で衰退しつつある森林を復元するのではなく、異なる形態の森林を創ってしまうおそれがあるからである。廃棄物は、１ｍｍ篩に全留するよう調製してもよい。これは、上空から散布することを考えた場合、ヒトや野生動物の呼吸器系に悪影響を与えないために、１ｍｍ未満の粉体は除外するためである。一方、粒径が１０ｍｍ以上になると、酸性雨に対する十分な中和反応が得られず、ヒトや野生動物が直撃を受けた場合に負傷したり、植物が痛められるなどの影響が懸念される。そのため、最大粒径は１０ｍｍ篩を通過するものとしてもよい。【選択図】　　　図１
2004131554.tif 000002
【特許請求の範囲】
【請求項１】
化学肥料と種子を混合することなく、コンクリート廃棄物又は貝殻廃棄物の砕片を製造する工程と、
酸性雨の影響を受ける自然生態系に対し、前記砕片を上空から散布する工程とを含むことを特徴とする酸性雨対策工法。
【請求項２】
前記砕片を、１０ｍｍ篩を全通し且つ１ｍｍ篩を全留する形状に調製する工程を含むことを特徴とする請求項１記載の酸性雨対策工法。
【請求項３】
前記砕片を、１ｍｍ篩を全通し且つ０．１ｍｍ篩を全留する形状に調製する工程を含むことを特徴とする請求項１記載の酸性雨対策工法。
【請求項４】
前記コンクリート廃棄物及び／又は前記貝殻廃棄物の砕片と有機質資材とを混合する工程を含むことを特微とする請求項１記載の酸性雨対策工法。
【請求項５】
前記自然生態系は、森林であることを特微とする請求項１記載の酸性雨対策工法。
【請求項６】
自然生態系に散布する化学肥料と種子を含有しないコンクリート廃棄物及び／又は貝殻廃棄物の砕片であって、
前記砕片は、１０ｍｍ篩を全通し且つ１ｍｍ篩を全留する形状を有することを特徴とする酸性雨対策材料。
【請求項７】
自然生態系に散布する化学肥料と種子を混合しないコンクリート廃棄物及び／又は貝殻廃棄物の砕片であって、
前記砕片は、１ｍｍ篩を全通し且つ０．１ｍｍ篩を全留する形状を有することを特徴とする酸性雨対策材料。
【請求項８】
前記砕片に有機質資材を混合することを特微とする請求項６又は７記載の酸性雨対策材料。
【発明の詳細な説明】
【０００１】
【発明が属する技術分野】
本発明は、酸性雨によって森林が衰退するなど、自然生態系への影響が懸念或いは問題とされる土地に対する酸性雨対策工法及びそのための材料に関する。
【０００２】
【従来の技術】
従来、酸性雨対策を目的とする環境保全・改善材は、粉砕・熱処理して得られ、たとえば平均粒径１ｍｍ〜４０ｍｍの貝殻砕片からなり、特定の大きさに粉砕し熱処理して得た貝殻砕片は、河川、海、称呼、池などの水質汚染や富栄養化、大気汚染、酸性雨等の改善作用を有し、これを、ダムの放流地点等河川の上流やダム、湖沼等の流入部に散布して、河川環境の保全や浄化を図る（たとえば、特許文献１参照）。
【０００３】
【特許文献１】
特開平５−３２９６８号公報（第２頁段落０００８ないし００１２）
【０００４】
【発明が解決しようとする課題】
ところで、近年、隣国である中国をはじめとする周辺諸国の工業化に伴い、酸性雨による森林の哀退や破壊が大きな環境問題になっている。特に、日本海側地域ではその自然生態系が大きな悪影響を受けているが、酸性雨の形響を受けている地域は日本全土に及んでおり、このまま放置した場合には、森林の有するｐＨ矯正機能がどこまで維持できるかが懸念されている。酸性土壌に対する中和剤として、消石灰、生石灰、炭酸カルシウム等の石灰化合物が用いられているが、森林等の大面積を対象とする酸性雨対策工法として有効性の高い手法は確立されていないのが実状である。
【０００５】
酸性土壊の中和剤である石灰化合物は、主に農業分野などにおいて広く用いられているが、これらは紛状であることから上空から散布した場合にヒトや野生動物などの呼吸器系に悪影響を与えたり、施工対象地周辺の施設等を汚染したりすることが懸念される。また、これらの資材は即効性であるため、中和効果の持続性が低いという問題を有している。従って、農業分野と異なり、定期的に繰り返して施工を行うことが難しい森林などの大面積を対象とする場合には適用は困難であった。
【０００６】
一方、産業廃棄物の有効利用が求められている今日、海洋施設や養殖産業等から発生する貝殼廃棄物や建設現場等から発生するコンクリート廃棄物をリサイクルする手法の普及が急務となっている。
【０００７】
ところが、上述した特許文献１記載の環境保全・改善材では、大面積施工を行う場合にはその粒径が障害となる。酸性雨の影響が最も懸念或いは問題となる地域は森林であり、このような資材を上空から散布する場合、あまり粒径が大きくなると、植物や野生動物が直撃を受け、自然破壊を助長する危険性がある。また、貝殻砕片からタンパク質等の有機成分を分解除去して悪臭を除去するため、また、貝殻の炭化、脱湿乾燥を行うために、摂氏５００度程度の高温で貝殻砕片を熱処理する必要があり、ロータリーキルン、直火バーナー等の加熱装置を設備する必要がある。
【０００８】
そこで、本発明は、空中散布に適するとともに、悪臭を発生せず、製造も簡単なコンクリート廃棄物又は貝殻廃棄物を使用する酸性雨対策工法を提供することを課題としている。
【０００９】
【課題を解決するための手段】
上記の課題を解決するための本発明の酸性雨対策工法は、化学肥料と種子を混合することなくコンクリート廃棄物又は貝殻廃棄物の砕片を製造する工程と、酸性雨の影響を受ける自然生態系に対し前記砕片を上空から散布する工程とを含む。
【００１０】
前記砕片は、１０ｍｍ篩を全通し且つ１ｍｍ篩を全留する形状、又は１ｍｍ篩を全通し且つ０．１ｍｍ篩を全留する形状に調整する工程を含んでもよい。
【００１１】
また、前記コンクリート廃棄物又は貝殻廃棄物と有機質資材とを混合する工程を含んでもよい。また、前記自然生態系は、特に好適には森林である。
【００１２】
また、本発明の酸性雨対策材料は、自然生態系に散布する化学肥料と種子を混合しないコンクリート廃棄物又は貝殻廃棄物であって、１０ｍｍ篩を全通し且つ１ｍｍ篩を全留する形状、又は１ｍｍ篩を全通し且つ０．１ｍｍ篩を全留する形状を有する。また、前記コンクリート廃棄物又は貝殻廃棄物に有機質資材を混合してもよい。
【００１３】
【発明の実施の形態】
以下、図面を参照して本発明の実施形態について説明する。図１に示すように、本発明においては、酸性雨問題が懸念或いは発生している土地４に対して、少なくとも化学肥料と種子を混合しないコンクリート廃棄物又は貝殻廃棄物を粉砕した材料１を、ヘリコプターや小型飛行機などの航空機２を用いて上空より散布する。当然のことながら，小面積の場合には，地上で散布機を用いて施工することも可能であるが、本発明は特に森林３等の大面積施工を行う工法であり、上空からの散布に適した工法である。また、湖沼５等を散布対象としてもよい。
【００１４】
本発明で使用するコンクリート廃棄物は、主にビルや土木工作物の解体現場で発生するコンクリート廃材である。また、貝殻廃棄物は、海洋施設に付着した貝殻や、養殖産業などで発生する各種貝殻である。本発明は廃棄物の有効利用を図るものであることから、特に有害成分を含まないものであれば発生源は限定されるものではない。
【００１５】
コンクリートや貝殻といった産業廃棄物は、多くのカルシウム成分を含有していることから、酸性雨の成分である硫酸と反応することによって硫酸カルシウム（石膏）を生成し、中和剤としての効果を得ることができる。
【００１６】
一般的に行われている航空緑化方法は、荒廃裸地等に対して植物を積極的に導入することにより、侵食の防止や緑化復元を図ることから、多量の種子や化学肥料を混合した植生基材を上空より投下する。しかし、本発明は、酸性成分の中和や酸性に対する緩衝力の増強を目的とすることから、種子や化学肥料を混合しない。種子や化学肥料を混合すると、自然生態系に悪影響を及ぼすおそれがある。すなわち、酸性雨で衰退しつつある森林を復元するのではなく、異なる形態の森林を創ってしまうおそれがある。本発明は緑化工に包含される技術ではなく酸性雨対策工法として酸性の悪影響を抑制させ、白然生態系の回復を図る工法である。
【００１７】
図２に示すように、廃棄物の粒径は、ある篩１０を全通し且つ他の篩１１に全留するように調製される。
【００１８】
コンクリート廃棄物の砕片や貝殻廃棄物の砕片は、１ｍｍ篩に全部滞留するように調製してもよい。これは、上空から散布することを考えた場合、ヒトや野生動物の呼吸器系に悪影響を与えないために、１ｍｍ未満の粉体は除外することが好ましいからである。一方、粒径が１０ｍｍ以上になると、酸性雨に対する十分な中和反応が得られず、ヒトや野生動物が直撃を受けた場合に負傷したり、植物が痛められるなどの影響が懸念される。そのため、最大粒径は１０ｍｍ篩を全部通過するものとしてもよい。中和反応と動物等に与える影響などを考慮すると、１ｍｍないし５ｍｍ程度の粒径が、より好適である。また、より効果的な中和反応を確保するとともに、ヒトや野生動物への衝撃をより緩和するために、１ｍｍ篩を全通し且つ０．１ｍｍ篩を全留する形状に砕片を調製してもよい。
【００１９】
廃棄物の破砕方法は特に限定されるものではなく、所定の粒径に調整できるものであれば良い。廃棄物の形状や大きさは、破砕機の性能によっては２次破砕や３次破砕を要する場合もある。
【００２０】
貝殻廃棄物の場合は、原料の状況によって貝肉付きの場合と貝殻のみの場合がある。酸性雨対策工法で使用する貝殻廃棄物は、熱処理を行わないため、貝肉付きのものはコンポスト化したものか、貝肉を除去した後粉砕したものを用いる。また、水洗工程も付加する等して、粉砕前に野積みや切り返し等の脱塩堆積期間を経過させ、充分に脱塩されたものを用いる。これによって、熱処理を行わなくても使用することが可能であり、問題となる悪臭の発生もほとんどなくなる。
【００２１】
自然生態系の酸性雨に対する緩衝力をさらに高めるため、コンクリート廃棄物又は貝殻廃棄物に有機質資材を混合してもよい。
【００２２】
酸性雨の影響を受けている地域では、植物の衰退により有機質資材の供給量が不足する問題を伴う場合がある。有機質資材は、酸性雨に対する緩衝力を保持する上で重要であり、本発明で使用するコンクリート廃棄物や貝殻廃棄物に、たとえば各種堆肥などを混合したり、生チップを混合することにより，中和効果に加えて、緩衝力増強を行うことができる。この場合の有機質資材の混合量は特に限定されるものではないが、中和を主目的とする場合は、少なくともコンクリート廃棄物や貝殻廃棄物を容積率５０％程度は確保する必要がある。
【００２３】
これらの資材のほか、土壌改良材（ゼオライト、バーミキュライト等の無機系土壌改良材、各種コンポスト、炭化物等の有機系土壌改良材、根粒菌、ＶＡ菌、根菌等の微生物土壌改良材等）や、接合材（高分子系侵食防止剤、セメント系接合材等）等の材料と混合して散布することも可能であり、現場の条件等に応じて適宜選定することができる。特に施工対象となる立地が急勾配である場合は接合材を混合すると効果的である。
【００２４】
このように製造したコンクリート廃棄物の砕片及び又は貝殻廃棄物の砕片を、航空機（気球、ヘリコプター、小型飛行機その他の大気中を飛行する機械）に搭載して、森林３等の自然生態系に上空から散布する。これによって、自然生態系の酸性雨に対する緩衝力が高まる。
【００２５】
本発明は、以上説明した実施形態に限定されるものではない。たとえば、１ｍｍ篩を全通し０．１ｍｍ篩を全留する砕片に、有機質資材、土壌改良材、接合剤を混合し、造粒して、１０ｍｍ篩を全通し１ｍｍ篩を全留する酸性雨対策材料に調製し、これを空中から散布してもよい。
【００２６】
【発明の効果】
本発明によれば、自然環境保全技術にリサイクル資材を有効活用する手法が提供され、循環型杜会の形成に大きく貢献する。すなわち、本発明によれば、空中散布に適するとともに、悪臭を発生せず、製造も簡単なコンクリート廃棄物又は貝殻廃棄物を使用する酸性雨対策工法及び材料が提供される。
【図面の簡単な説明】
【図１】酸性雨対策材料の森林への空中散布を説明するための概念図
【図２】酸性雨対策材料の粒度の調製方法を説明するための概念図
【符号の説明】
１　酸性雨対策材料
２　航空機
３　森林
４　酸性土壌
５　湖沼等
１０　酸性雨対策材料を全通する篩
１１　酸性雨対策材料を全留する篩
【図１】
2004131554.tif 000003
【図２】
2004131554.tif 000004